(57)【要約】【課題】  収容されている刃体が汚れたり刃体の出し入れが妨げられたりするのを防ぐことができるとともに、操作部の良好な操作性を確保することができる、ナイフを提供する。【解決手段】  ナイフ１は、刃体２と柄３とスライダ４とを備える。柄３は、刃体２がその長手方向２ａにスライドするよう案内するとともに、その案内する一方側で刃体２を先端部から突出させ、他方側で刃体２を収容する。スライダ４は、柄３の内部に配置されて刃体２を保持する保持部４ａと、柄３の外部に露出するよう配置されて指先で操作される操作部４ｂとを有して、それら保持部４ａと操作部４ｂとが、柄３に設けられた開口部３ａを介して連結される。ここで、柄３に設けられた前記開口部３ａは、刃体２の刃２ｂ側となる下側に向かって開口するように形成される。そして、スライダ４における操作部４ｂは、柄３の側面３ｂに配置される。【選択図】  図２
2014057701.tif 000002
【特許請求の範囲】
【請求項１】
刃体と、前記刃体がその長手方向にスライドするよう案内するとともに、その案内する一方側で前記刃体を先端部から突出させ、他方側で前記刃体を収容する、柄と、前記刃体を前記柄に対して出し入れするよう操作するためのスライダとを、備え、
前記スライダは、前記柄の内部に配置されて前記刃体を保持する保持部と、前記柄の外部に露出するよう配置されて指先で操作される操作部とを有して、それら保持部と操作部とが、前記柄に前記長手方向に沿って設けられた開口部を介して連結されてなり、前記操作部を前記長手方向にスライド操作することで、前記保持部とともに前記刃体が前記長手方向にスライドして、前記刃体が前記柄に対して出し入れされる、ナイフであって、
前記開口部は、前記刃体の刃側となる下側に向かって開口するように形成され、前記操作部は、前記柄の側面に配置されることを特徴とする、ナイフ。
【請求項２】
前記柄は、その側面に、上側に比して下側が窪むようにして形成された前記長手方向に沿う段部を有し、
前記開口部は、前記段部の下方を向く面に開口するように形成され、
前記操作部は、前記段部を構成する下側の窪んで形成された下側段部における前記開口部に近接した位置に配置されるとともに、その下側段部に沿ってスライドすることを特徴とする、請求項１に記載のナイフ。
【請求項３】
前記柄の少なくとも握り部分と、前記スライダの少なくとも前記操作部とは、絶縁性を有する材料からなり、
前記開口部は、指先が入らない細溝状に形成されることを特徴とする、請求項１または２に記載のナイフ。
【発明の詳細な説明】
【技術分野】
【０００１】
この発明は、刃体がスライドして柄に収容されるナイフに関するものである。
【背景技術】
【０００２】
従来、刃体がスライドして柄に収容されるナイフにおいては、刃体をスライドさせるためのスライダが柄の内外を連通するよう、柄には、開口部が、側面に形成されたり（例えば、特許文献１参照）、上面に形成されたり（例えば、特許文献２参照）、下面に形成されたりしていた（例えば、特許文献３参照）。そして、スライダには、開口部から突出するようにして操作部が設けられ、この操作部をスライド操作することで、刃体を、柄に対して出し入れすることができた。
【先行技術文献】
【特許文献】
【０００３】
【特許文献１】実開平７−１２０７０号公報
【特許文献２】特開２００８−２２９０７６号公報
【特許文献３】実開昭５５−１５３０５９号公報
【発明の概要】
【発明が解決しようとする課題】
【０００４】
ところで、前記従来のナイフにあっては、開口部が、柄の側面とか上面に形成されていると、その開口部から切粉等が進入し、その進入した切粉等で、刃体が汚れたり、柄内が詰まって刃体の出し入れの妨げとなったりする問題があった。また、開口部が柄の下面に形成されている場合には、このような問題はないものの、刃体の出し入れを操作する操作部が、柄の下方に位置するため、このナイフの使用中に、刃体の突出量を調整する必要が生じた場合には、親指が柄の下方にある操作部に届かなかった。そのため、柄を握った手を一旦持ち替えてから操作部を操作しなければならず、その操作が面倒であった。
【０００５】
この発明は、上記した従来の欠点を解決するためになされたものであり、その目的とするところは、収容されている刃体が汚れたり刃体の出し入れが妨げられたりするのを防ぐことができるとともに、操作部の良好な操作性を確保することができる、ナイフを提供することにある。
【課題を解決するための手段】
【０００６】
この発明に係るナイフは、前記目的を達成するために、次の構成からなる。すなわち、
請求項１に記載の発明に係るナイフは、刃体と、前記刃体がその長手方向にスライドするよう案内するとともに、その案内する一方側で前記刃体を先端部から突出させ、他方側で前記刃体を収容する、柄と、前記刃体を前記柄に対して出し入れするよう操作するためのスライダとを、備える。前記スライダは、前記柄の内部に配置されて前記刃体を保持する保持部と、前記柄の外部に露出するよう配置されて指先で操作される操作部とを有して、それら保持部と操作部とが、前記柄に前記長手方向に沿って設けられた開口部を介して連結されてなり、前記操作部を前記長手方向にスライド操作することで、前記保持部とともに前記刃体が前記長手方向にスライドして、前記刃体が前記柄に対して出し入れされる。ここで、前記開口部は、前記刃体の刃側となる下側に向かって開口するように形成され、前記操作部は、前記柄の側面に配置される。
【０００７】
このナイフによると、刃体を出し入れするためのスライダが通る開口部が、下側に向かって開口するように形成されているため、この開口部から切粉等が進入し難い。そして、スライダの操作部が、柄の側面に配置されることで、このナイフの使用中に刃体の突出量を調整する必要が生じた場合に、柄を握ったまま、親指を操作部に当ててその操作部を操作することができる。
【０００８】
また、請求項２に記載の発明に係るナイフは、請求項１に記載のナイフにおいて、前記柄は、その側面に、上側に比して下側が窪むようにして形成された前記長手方向に沿う段部を有する。そこで、前記開口部は、前記段部の下方を向く面に開口するように形成される。そして、前記操作部は、前記段部を構成する下側の窪んで形成された下側段部における前記開口部に近接した位置に配置されるとともに、その下側段部に沿ってスライドする。こうして、操作部が、段部を構成する下側の窪んで形成された下側段部における前記開口部に近接した位置に配置されることで、この操作部の出っ張り感を抑えて、誤操作し難くすることができ、また、見栄えをよくすることができる。
【０００９】
また、請求項３に記載の発明に係るナイフは、請求項１または２に記載のナイフにおいて、前記柄の少なくとも握り部分と、前記スライダの少なくとも前記操作部とは、絶縁性を有する材料からなる。そして、前記開口部は、指先が入らない細溝状に形成される。これにより、刃体が、導電部分に触れた場合であっても、電気が、刃体から柄やスライダを介して人に流れることがなく、また、指先が開口部を通して刃体に触れることがないため人に直接電気が流れたりすることもない。
【発明の効果】
【００１０】
この発明に係るナイフによれば、スライダが通る開口部が、下側に向かって開口するため、この開口部から切粉等が進入し難く、これによって、収容されている刃体が汚れたり刃体の出し入れが妨げられたりするのを防ぐことができる。しかも、スライダの操作部が、柄の側面に配置されることで、このナイフの使用中に、柄を握ったまま、親指を操作部に当ててその操作部を操作することができ、これによって、操作部の良好な操作性を確保することができる。
【図面の簡単な説明】
【００１１】
【図１】この発明の一実施の形態の、分解斜視図である。
【図２】同じく、正面図である。
【図３】同じく、図２におけるＡ−Ａ線による拡大断面図である。
【図４】この発明の他の実施の形態の、図３相当図である。
【図５】この発明のさらに他の実施の形態の、図３相当図である。
【発明を実施するための形態】
【００１２】
以下、この発明に係るナイフを実施するための形態を図面に基づいて説明する。
【００１３】
図１〜図３は、本発明の一実施の形態を示す。図中符号１は、ナイフを示す。
【００１４】
ナイフ１は、刃体２と柄３とスライダ４とを備える。柄３は、刃体２がその長手方向２ａにスライドするよう案内するとともに、その案内する一方側で刃体２を先端部から突出させ、他方側で刃体２を収容する。そして、この柄３には、刃体２の長手方向２ａに沿って開口部３ａが設けられている。
【００１５】
スライダ４は、刃体２を柄３に対して出し入れするよう操作するものである。このスライダ４は、柄３の内部に配置されて刃体２を保持する保持部４ａと、柄３の外部に露出するよう配置されて指先で操作される操作部４ｂとを有して、それら保持部４ａと操作部４ｂとが、柄３に設けられた前記開口部３ａを介して連結される。そこで、操作部４ｂを前記長手方向２ａにスライド操作することで、保持部４ａとともに刃体２が前記長手方向２ａにスライドして、刃体２が柄３に対して出し入れされる。
【００１６】
ここにおいて、柄３に設けられた前記開口部３ａは、刃体２の刃２ｂ側となる下側に向かって開口するように形成される。そして、スライダ４における操作部４ｂは、柄３の側面３ｂに配置される。
【００１７】
詳細には、柄３は、その側面３ｂに、上側に比して下側が（図示実施の形態においては、側面３ｂの下端に至るまでが）窪むようにして形成された前記長手方向２ａに沿う段部３ｃを有する。そこで、前記開口部３ａは、この段部３ｃの下方を向く面に開口するように形成される。そして、前記操作部４ｂは、段部３ｃを構成する下側の窪んで形成された下側段部３ｄにおける開口部３ａに近接した位置に配置されるとともに、その下側段部３ｄに沿ってスライドする。
【００１８】
また、柄３の少なくとも握り部分（つまり、手で握る部分）と、スライダ４の少なくとも操作部４ｂとは、絶縁性を有する材料からなる。そして、前記開口部３ａは、指先が入らない細溝状に形成される。
【００１９】
具体的には、ナイフ１は、所謂カッターナイフと呼ばれるものであって、刃体２が交換可能であり、また、その刃体２は、先端から順に分断除去可能に形成されている。そして、この刃体２は、一般には、鋼等の金属からなる。
【００２０】
柄３は、案内部材３０１と、その案内部材３０１を被う被い部材３０２と、その被い部材３０２の後端に着脱可能に取り付けられるキャップ３０３とを備えている。ここで、案内部材３０１は、金属製であって、被い部材３０２とキャップ３０３とは、合成樹脂製である。
【００２１】
案内部材３０１は、刃体２が挿入されるよう、刃体２の長手方向２ａに筒状に延びて両端が開口して形成されている。詳細には、この案内部材３０１は、前述した開口部３ａのある側に開口３ｅを有するよう、断面略Ｃ字状に形成されている。そして、案内部材３０１は、そのＣ字の一方の先端部分に、この案内部材３０１の長手方向、つまり刃体２の長手方向２ａに矩形の凹凸が並ぶ、第１波部３ｆが形成され、Ｃ字の他方の先端部に、前記長手方向２ａに三角の凹凸が並ぶ、第２波部３ｇが形成されている。
【００２２】
被い部材３０２は、案内部材３０１の長手方向、つまり刃体２の長手方向２ａに筒状に延びて両端が開口して形成されている。そこで、案内部材３０１は、この被い部材３０２の後端の開口３ｈから、被い部材３０２内に挿入されて固定される。そして、この被い部材３０２の一方の側面、つまり柄３の側面３ｂ（詳しくは、案内部材３０１の開口３ｅがある側の側面）に、前述した開口部３ａと、段部３ｃが形成されている。また、被い部材３０２内には、前記側面３ｂを有する側壁３ｉと案内部材３０１との間に空隙３ｊが設けられており、案内部材３０１の開口３ｅは、この空隙３ｊを介して開口部３ａに通じる。
【００２３】
スライダ４は、前記保持部４ａと前記操作部４ｂの他に、それら保持部４ａと操作部４ｂとを連結する連結部４ｃを有している。そこで、連結部４ｃは、案内部材３０１の開口３ｅ、被い部材３０２内の空隙３ｊおよび開口部３ａに渡るように位置して、案内部材３０１内に配置される保持部４ａと外部に露出する操作部４ｂとを連結する。詳細には、スライダ４は、合成樹脂製であって、前記保持部４ａを有する第１部材４０１と、前記操作部４ｂを有する第２部材４０２とで構成される。第１部材４０１は、保持部４ａと、前記連結部４ｃを構成する第１連結部４ｄとが、一体に形成され、第２部材４０２は、操作部４ｂと、前記連結部４ｃを構成する第２連結部４ｅとが、一体に形成されている。そして、第１部材４０１と第２部材４０２とは、第１および第２連結部４ｄ、４ｅ部分で、係合するようにして組み付けられる。より詳細には、第１連結部４ｄには、爪状の係合部４ｆが設けられている。そして、第２連結部４ｅは、上下の脚部４ｇ、４ｇを有しており、その脚部４ｇに、前記係合部４ｆに係合する爪状の被係合部４ｈが設けられる。
【００２４】
また、保持部４ａは、板状に形成されて、刃体２の後端部分と重なるように配置される。そして、保持部４ａには、係合突部４ｉが設けられており、この係合突部４ｉが、刃体２に設けられた孔２ｃに嵌まることで、刃体２は、保持部４ａに保持される。
【００２５】
操作部４ｂにおいては、下側段部３ｄから離れた側の面が、指先が当接して操作する操作面となっている。図示実施の形態においては、操作部４ｂは、段部３ｃの下方を向く面の下方位置において、側方（つまり、柄３の側面３ｂの向く方向であり、また、下側段部３ｄから離れる方向）に突出するように設けられる。そして、この操作部４ｂにおける、側方に突出する先端面が、前記操作面となっている。そして、この操作面には、凹凸形状からなる、指先の滑り止めが施されている。もっとも、この滑り止めとしては、凹凸形状の他に、全体を湾曲させた面としたり、荒れた面としたり、エラストマー等の軟質材によって形成したりしてもよく、また、この滑り止めを特に設けなくともよい。また、この操作面は、下側段部３ｄから離れた側の面からならなくとも、その他の面からなっていてもよい。また、図示実施の形態においては、操作部４ｂは、側方に突出形成されて、柄３の側面３ｂを越えるまで延出しているが、側面３ｂと面一であったり、側面３ｂに達していなくともよい。
【００２６】
また、詳細は、省略するが、第１部材４０１は、ロック片４ｊを有しており、そのロック片４ｊが、案内部材３０１の第１波部３ｆと係合することで、この第１部材４０１、ひいては刃体２は、柄３に対してロックされる。そして、操作部４ａを指先で操作して、第１部材４０１を前記長手方向２ａに若干スライドさせると、第２部材４０２の一方（上方）の脚部４ｇに設けられた斜面（図示せず）が、ロック片４ｊを第１波部３ｆから外すように撓ませ、前記ロックが解除される。そして、さらに、操作部４ｂをスライド操作すると、第２部材４０２と第１部材４０１とが一体となって移動する。そして、操作部４ｂから指先を離すと、第２部材４０２は、前記傾斜面がロック片４ｊに押されて若干戻る。これによって、ロック片４ｊは、再び、案内部材３０１の第１波部３ｆと係合し、第１部材４０１とともに刃体２は、柄３に対してロックされる。もっとも、刃体２をロックする構造は、この構造に限定されるものではない。
【００２７】
なお、柄３は、被い部材３０２が、手で握る握り部分となっており、この握り部分となる被い部材３０２は、合成樹脂、つまり絶縁性を有する材料からなっている。そして、操作部４ｂは、第２部材４０２の一部（つまりは、スライダ４の一部）であって、第２連結部４ｅとともに、合成樹脂、つまり絶縁性を有する材料からなっている。
【００２８】
次に、以上の構成からなるナイフ１の作用効果について説明する。このナイフ１によると、刃体２を出し入れするためのスライダ４が通る開口部３ａが、下側に向かって開口するように形成されている。このため、この開口部３ａから切粉等が進入し難く、これによって、収容されている刃体２が汚れたり刃体２の出し入れが妨げられたりするのを防ぐことができる。しかも、スライダ４の操作部４ｂが、柄３の側面３ｂに配置されることで、このナイフ１の使用中に刃体２の突出量を調整する必要が生じた場合に、柄３を握ったまま、親指を操作部４ｂに当ててその操作部４ｂを操作することができ、これによって、操作部４ｂの良好な操作性を確保することができる。そして、このようにして、開口部３ａが下側に向かって開口することで刃体２の出し入れが妨げられることがなく、かつ、操作部４ｂが適切な位置に配置されてその操作性が良好であることから、刃体２の出し入れを円滑に操作することができ、このナイフ１の使い勝手を向上させることができる。
【００２９】
また、操作部４ｂが、柄３に設けられた段部３ｃを構成する下側の窪んで形成された下側段部３ｄにおける、開口部３ａに近接した位置に配置されることで、この操作部４ｂの出っ張り感を抑えて、誤操作し難くすることができ、また、見栄えをよくすることができる。
【００３０】
また、柄３の握り部分とスライダ４の操作部４ｂは、絶縁性を有する材料からなっている。そして、柄３に設けられた開口部３ａは、指先が入らない細溝状に形成されている。このため、電気工事等において、刃体２が、導電部分に触れた場合であっても、電気が、刃体２から柄３やスライダ４を介して人に流れることがなく、また、指先が開口部３ａを通して刃体２に触れることがないため人に直接電気が流れたりすることもない。
【００３１】
また、従来のように、開口部が柄の下面に形成されて、刃体の出し入れを操作する操作部が、柄よりも下方に位置する場合には、柄を握った際に、人差し指から小指に至る指先のいずれかがその操作部に当たってしまい、その操作部が邪魔になっていた。しかし、図示実施の形態のナイフ１においては、操作部４ｂが柄３の下面よりも下方に突出せず、その操作部４ｂが邪魔になることがない（後述する、図５に示す例においても同様）。
【００３２】
なお、本発明は、上述した実施の形態に限定されるわけではなく、その他種々の変更が可能である。例えば、ナイフ１は、その刃体２が、先端から順に分断除去可能に形成されていなくともよく、また、刃体２が交換可能となっていなくともよい。
【００３３】
また、柄３の握り部分とか操作部４ｂ（スライダ４）は、絶縁性を有する材料からなっているが、このナイフ１を電気工事に用いないのであれば、導電性を有する材料からなっていてもよい。そして、開口部３ａは、指先が入らない細溝状に形成されていなくともよい。
【００３４】
また、柄３は、案内部材３０１と被い部材３０２とに分かれていなくとも、それらが一体に形成されて、例えば、全体が、合成樹脂であったり、金属であったりしてもよい。
【００３５】
また、操作部４ｂは、柄３の下面よりも下方に突出しないように設けられているが、図４に示すように、柄３の下面よりも下方に突出してもよい。
【００３６】
また、柄３は、その側面３ｂに、上側に比して下側が窪むようにして形成された段部３ｃを有するが、この段部３ｃを構成する下側の窪んで形成された下側段部３ｄは、側面３ｂの下端に至るように設けられなくとも、図５に示すように、下端に至る手前までが、下側段部３ｄとなってもよい。つまり、下側段部３ｄは、刃体２の長手方向２ａに沿う溝の底面部分からなっていてもよい。
【００３７】
また、段部３ｃ（詳しくは、段部３ｃの下方を向く面）は、柄３の側面３ｂにおける下寄りの位置に設けられているが、上寄りの位置とか、上下の中央位置等、いずれの位置に設けられてもよい。
【００３８】
また、開口部３ａは、下側に向かって開口するものであればよく、柄３の側面３ｂにおける段部３ｃに設けられなくとも、柄３の下面に設けられてもよい。そして、この場合には、スライダ４の連結部４ｃが、開口部３ａを通って、柄３の側面３ｂに配置される操作部４ｂまで延出される。
【００３９】
また、柄３には、その握り部分に、エラストマーからなる手の滑り止め部が設けられてもよい。
【符号の説明】
【００４０】
１  ナイフ
２  刃体
２ａ  長手方向
２ｂ  刃
３  柄
３ａ  開口部
３ｂ  側面
３ｃ  段部
３ｄ  下側段部
４  スライダ
４ａ  保持部
４ｂ  操作部
【図１】
2014057701.tif 000003
【図２】
2014057701.tif 000004
【図３】
2014057701.tif 000005
【図４】
2014057701.tif 000006
【図５】
2014057701.tif 000007